(57)【要約】      （修正有）【課題】高速に装設及び解体できる足場の構造を提供する。【解決手段】足場の構造は作業員が起立するための施工プラットフォームであり、複数の縦ポール１、複数の横ポール２、及び少なくとも１つのプラットフォームを備える。縦ポールの側面には広溝域１１１及び狭溝域１１２を有する溝部１１が少なくとも形成され、横ポールの両端には広溝域に対応する凸部２１が各々形成され、且つ凸部は外径が内縮し狭溝域に対向する狭い経路２２を有する。これにより、凸部が溝部に対応して嵌合されて足場が設置される。【選択図】図２
0003196899.tif 000002
【実用新案登録請求の範囲】
【請求項１】
複数の中空の縦ポール、複数の中空の横ポール、及び少なくとも１つのプラットフォームを備える足場の構造であって、
前記縦ポールの側面には溝部が少なくとも形成されると共に前記溝部は２つの溝体が相互に連通されることで形成され、その内の１つの溝体が上方の広溝域に位置され、もう１つの溝体が下方の狭溝域に位置され、前記横ポールの両端には水平形態で広溝域に貫入される凸部が各々形成され、前記凸部の両側は平板形態を呈し、且つ前記凸部は外径が内縮し狭溝域に対応する狭い経路を有し、他の前記横ポールが反転した後に狭い経路が狭溝域に没入される状態では、前記凸部が垂直形態で縦ポールの内面に係合され、
これにより、横ポールの凸部の一端が水平に対位する形態で広溝域を穿通させ、狭い経路及び狭溝域の位置を対向させ、横ポールを９０度回転させると、凸部が自然に垂下すると共に縦ポールの内面に係合され、垂直のポール体及び水平のポール体の設置を完成させ、複数の縦ポール及び横ポールが順に前記の方法で設置されてフレームを完成させた後、プラットフォームが横ポールに載置されると作業員が起立して作業するための足場の装設が完成することを特徴とする足場の構造。
【請求項２】
前記横ポールの側面には複数の溝部が形成され、前記溝部は２つの溝体が相互に連通されることで形成されて、横ポールが水平に静置される状態で、その内の１つの溝体が上方の広溝域に位置され、もう１つの溝体が下方の狭溝域に位置され、前記プラットフォームの両端には横ポールの広溝域に対応する少なくとも１つの凸部が各々形成され、且つ前記プラットフォームの凸部は外径が内縮し横ポールの狭溝域に対応する狭い経路を有することを特徴とする、請求項１記載の足場の構造。
【請求項３】
前記縦ポールの底端には少なくとも１つの嵌め孔が形成され、且つ前記縦ポールの上端には他の縦ポールの底端に挿着される伸縮限定区が形成され、また、前記伸縮限定区には他の縦ポールの嵌め孔に係合されるスプリングスナップが設置されることを特徴とする、請求項１記載の足場の構造。
【考案の詳細な説明】
【技術分野】
【０００１】
本考案は、足場の構造に関し、より詳しくは、作業員が高所で起立して施工が出来るようにするためのプラットフォームであり、高速に装設及び解体が可能であるという特徴を有する足場に関する。
【背景技術】
【０００２】
一般的に建築物の建造においては、様々な足場を架設して施工を補助している。足場は複数の縦方向及び横方向の鉄パイプで構成されるフレームが結合されて、施工作業員が通行する踏み板等の部材を備える。
【０００３】
この足場構造には以前は竹が主に使用されたが、危険性が高い作業であるため、業界では安全性を高める努力を続け、安全規制に適合する足場構造を開発している。当然、材質の上でも現在では竹から鉄パイプ材へと進化し、より堅固な構造を実現し、安全性の向上を達成させている。
【０００４】
例えば、特許文献１に掲示される「急速継手」は足場に利用されるポール部材の装設構造であり、挿着固定体、ジョイント、及びポール体を備える。前記挿着固定体は、一端が狭く、他端が広い楔形構造になり、前記挿着固定体の少なくとも一側の表面には、狭い端部の箇所まで延伸されて切欠き部が形成されるガイドレールが凹設される。前記ジョイントは、横方向に溝部が形成され、前記溝部は開放状の切欠き部を有し、前記ジョイントは切欠き部の他側に対応してポールジョイント部が形成され、前記ジョイントの縦方向には穿孔が設けられ、穿孔には挿着固定体が穿設され、穿孔の内壁にはガイドレールに対応する凸部が少なくとも設けられ、前記凸部はガイドレールの上下の滑動を制限させる。前記ポール体は、中空の管体であり、且つ少なくとも１つの端が急速継手のポールジョイント部に連結され、連結板に高速に連結される横連結ポールが形成され、高速連結板には挿着固定体を挿設させるための貫通孔が形成される。
【０００５】
なお、前述の従来の足場のポール部材の装設構造は、連結する２つのポール部材にはジョイント及び高速連結板が設置され、結合する場合、先ず溝部と高速連結板とを連結させ、挿着固定体を作動させて穿孔及び貫通孔に穿設させる。
【先行技術文献】
【特許文献】
【０００６】
【特許文献１】台湾実用新案出願公開第Ｍ３４３０４２号明細書
【考案の概要】
【考案が解決しようとする課題】
【０００７】
しかしながら、前述した従来の結合方式では２度の工程を経ねば２つのポール部材は結合が出来ないため、操作が面倒であった。このほか、何れか１つのポール部材の外径を突出させて高速連結板を設置させねばならず、ポール部材の収納性に影響するのみならず、さらには溶接方式により先にポール部材に結合させねばならないため、製造コストが高騰した。
【０００８】
そこで、本考案者は上記の欠点が改善可能と考え、鋭意検討を重ねた結果、合理的設計で上記の課題を効果的に改善する本考案の足場の構造の提案に到った。
【０００９】
本考案は、以上の実情に鑑みなされたものであって、上記課題解決のため、本考案は、足場の構造を提供することを主目的とする。すなわち、作業員が高所で起立して施工作業をするためのプラットフォームであり、且つ前記足場は高速に装設及び解体可能であるという特性を有し、従来の足場よりも高い費用対効果がある。
【課題を解決するための手段】
【００１０】
上述した課題を解決し、目的を達成するために、本考案に係る足場の構造は複数の中空の縦ポール、複数の中空の横ポール、及び少なくとも１つのプラットフォームを備え、
前記縦ポールの側面には溝部が少なくとも形成されると共に前記溝部には２つの溝体が相互に連通されるように形成され、その内の１つの溝体が上方の広溝域に位置され、もう１つの溝体が下方の狭溝域に位置され、前記横ポールの両端には水平形態で広溝域に貫入される凸部が各々形成され、前記凸部の両側は平板形態を呈し、且つ前記凸部は外径が内縮し狭溝域に対応する狭い経路を有し、他の前記横ポールが反転した後に狭い経路が狭溝域に没入される状態では、前記凸部が垂直形態で縦ポールの内面に係合され、
これにより、横ポールの凸部の一端が水平に対位する形態で広溝域を穿通させ、狭い経路及び狭溝域の位置を対向させ、横ポールを９０度回転させると、凸部が自然に垂下すると共に縦ポールの内面に係合され、垂直のポール体及び水平のポール体の設置を完成させ、複数の縦ポール及び横ポールが順に前記の方法で設置されてフレームを完成させた後、プラットフォームが横ポールに載置されると作業員が起立して作業するための足場の装設が完成することを特徴とする。
【００１１】
請求項２に記載の足場の構造は請求項１において、前述の横ポールの側面には複数の溝部が形成され、前記溝部が２つの溝体が相互に連通されるように形成させて、横ポールが水平に静置される状態で、その内の１つの溝体が上方の広溝域に位置され、もう１つの溝体が下方の狭溝域に位置され、前記プラットフォームの両端には横ポールの広溝域に対応する少なくとも１つの凸部が各々形成され、且つ前記プラットフォームの凸部は外径が内縮し横ポールの狭溝域に対応する狭い経路を有する。
【００１２】
請求項３に記載の足場の構造は請求項１において、前述の縦ポールの底端には少なくとも１つの嵌め孔が形成され、且つ前記縦ポールの上端には他の縦ポールの底端に挿着される伸縮限定区が形成され、また、前記伸縮限定区には他の縦ポールの嵌め孔に係合されるスプリングスナップが設置される。
【考案の効果】
【００１３】
前述の本考案における内容から分かるように、本考案「足場の構造」の装設では、縦ポールと横ポールとを対応させて挿設させるのみで、凸部が溝部に簡単に対応して係合され、足場の高さ及び長さに合わせてメインフレーム体を順に装設させ、最後にプラットフォームを横ポールに載置させると足場の装設が完成する。従来の足場に比べて、本考案は高速に装設でき、解体と収納が便利である上、低コストである等の長所を有する。故に、本考案は実用性及び革新性が相当に高いと言え、産業界が推進する価値があり、社会に広く公知する意義がある。
【図面の簡単な説明】
【００１４】
【図１】本考案の第１実施形態による足場の構造を示す展開図である。
【図２】本考案の横ポ−ル及び縦ポ−ルの組立動作を示す概略図である。
【図３】本考案の横ポ−ル及び縦ポ−ルの組立動作を示す概略図である。
【図４】本考案の横ポ−ル及び縦ポ−ルの組立動作を示す概略図である。
【図５】図４に示す断面模式図である。
【図６】本考案の縦ポ−ルの上下両端を示す一部の拡大図である。
【図７】本考案のプラットフォームを示す一部の拡大図である。
【図８】本考案に係る足場の構造の組立工程を示す概略図である。
【図９】本考案に係る足場の構造の組立工程を示す概略図である。
【図１０】本考案に係る足場の構造の組立工程を示す概略図である。
【図１１】本考案に係る足場の構造の多層組立工程を示す概略図である。
【考案を実施するための形態】
【００１５】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１６】
＜第１実施形態＞
以下、本考案の実施形態について、図１乃至図１０を参照しながら説明する。本考案に係る足場の構造は、複数の中空の縦ポール１、複数の中空の横ポール２、及び少なくとも１つのプラットフォーム３を備える(本考案に係る縦ポール１及び横ポール２として矩形のポール体による実施形態を図示するが、実際に応用する場合、円形のポール、三角形のポール、或いは多角形のポールを採用してもよい)。
【００１７】
前記縦ポール１の側面には溝部１１が少なくとも形成され、前記溝部１１は２つの溝体が相互に連通されることで形成される。その内の１つの溝体は上方の広溝域１１１に位置され、他の溝体は下方の狭溝域１１２に位置され、前記横ポール２の両端には水平形態で広溝域１１１に貫入される凸部２１が各々形成され、前記凸部２１の両側は平板形態を呈する。また、前記凸部２１は外径が内縮し狭溝域１１２に対応する狭い経路２２を有し、他の前記横ポール２が反転した後に狭い経路２２が狭溝域１１２に没入される状態では、前記凸部２１が垂直形態で縦ポール１の内面に係合される。
【００１８】
これにより、横ポール２の凸部２１の一端が水平に対位する形態で広溝域１１１を穿通させ、狭い経路２２及び狭溝域１１２の位置を対向させ(図２及び図３参照)、横ポール２を９０度回転させると、凸部２１が自然に垂下すると共に縦ポール１の内面に係合され(図４及び図５参照)、垂直のポール体及び水平のポール体の設置を完成させる。複数の縦ポール１及び横ポール２が順に前記の方法で設置されてフレームが完成した後、プラットフォーム３を横ポール２に載置させて作業員が高所で起立して作業するための足場の装設を完成させる。
【００１９】
さらに、前記横ポール２の側面には複数の溝部２３が形成され、前記溝部２３は２つの溝体が相互に連通されることで形成される。横ポール２は水平に静置される状態では、その内の１つの溝体が上方の広溝域２３１に位置され、他の溝体が下方の狭溝域２３２に位置される。前記プラットフォーム３の両端には横ポール２の広溝域２３１に対応する少なくとも１つの凸部３１が各々形成され、且つ前記プラットフォーム３の凸部３１は外径が内縮し横ポール２の狭溝域２３２に対応する狭い経路３２を有する。こうして、前記プラットフォーム３の凸部３１が横ポール２の広溝域２３１に貫入され、狭い経路３２が狭溝域２３２に設置され、凸部３１が横ポール２の内面に係合される(結合方法は縦ポール１と横ポール２とが回転を削減する動作のみであり、他の図式は表示しない)。図８から図１０は本考案の装設工程である。まず、２つの縦ポール１及び横ポール２を設置させる。この方式で装設される前後２組は足場の支持脚となり(この際、前後の横ポール２は先に回転されて固定される)、プラットフォーム３の両側には前後の横ポール２が各々設置され、左右の横ポール２は縦ポール１に設置され、最後に左右の横ポール２が回転して固定されると足場の装設が完成する。
【００２０】
また、前記縦ポール１の底端には少なくとも１つの嵌め孔１２が形成され、且つ前記縦ポール１の上端には他の縦ポール１の底端に挿着される伸縮限定区１３が形成され、前記伸縮限定区１３には他の縦ポール１の嵌め孔１２に係合されるスプリングスナップ１４が設置される。これにより、複数の縦ポール１の前後が連結されて足場全体の高さが増し、また異なる高さの縦ポール１を組み合わせて横ポール２を装設させ、プラットフォーム３が多層で装設されると、異なる階層の施工作業員が同時に作業できる(図１１参照)。
【００２１】
以上のとおり、本考案に係る「足場の構造」の装設では、縦ポール１を横ポール２に対応させて挿設させるのみで、凸部２１が溝部１１に簡単に対応して係合され、且つ足場の高さ及び長さに応じてメインフレーム体を順に装設させ、最後にプラットフォーム３を横ポール２に載置させて足場の装設を完成させる。従来の足場に比較して、本考案は高速に装設可能であり(本考案では１度の係合動作で縦ポール１と横ポール２との装設を完成させるが、従来ではさらに挿着固定体の固定も必要である)、解体及び収納が簡単であり、低コストである等の長所を有する(本考案に係る縦ポール１では高速連結板の成形が不要であり、コストを有効的に削減し、収納空間を減少させる)。以上は本考案の好ましい実施形態の説明であり、本考案の形式を制限させるものではなく、本考案の精神を逸脱せずに本考案の修飾や変更を行い、同様の効果を持つ実施態様も、皆本考案の範囲に含まれる。
【００２２】
以上、本考案の実施形態について図面を参照して詳述したが、具体的な構成はこの実施形態に限られるものではなく、本考案の要旨を逸脱しない範囲の設計変更等も含まれる。
【符号の説明】
【００２３】
１  縦ポール
１１  溝部
１１１  広溝域
１１２  狭溝域
１２  嵌め孔
１３  伸縮限定区
１４  スプリングスナップ
２  横ポール
２１  凸部
２２  狭い経路
２３  溝部
２３１  広溝域
２３２  狭溝域
３  プラットフォーム
３１  凸部
３２  狭い経路
【図１】
0003196899.tif 000003
【図２】
0003196899.tif 000004
【図３】
0003196899.tif 000005
【図４】
0003196899.tif 000006
【図５】
0003196899.tif 000007
【図６】
0003196899.tif 000008
【図７】
0003196899.tif 000009
【図８】
0003196899.tif 000010
【図９】
0003196899.tif 000011
【図１０】
0003196899.tif 000012
【図１１】
0003196899.tif 000013